(57)【要約】【課題】空気漏れを大幅に低減し、作動圧力を高める横吹き式送風機を提供する。【解決手段】少なくとも一つの横方向排気口、第一特定形状を有する第一軸方向吸気口を有するハウジング、および前記ハウジングの内部に位置される羽根車構造を含み、前記第一特定形状は、方形、楕円、多角形、または前記羽根車構造の軸心と非同軸の円形、または任意の密閉形状からなる。【選択図】図２Ａ
2006207578.tif 000002
【特許請求の範囲】
【請求項１】
少なくとも一つの横方向排気口、第一特定形状を有する第一軸方向吸気口を有するハウジング、および
前記ハウジングの内部に位置される羽根車構造を含み、
前記第一特定形状は、方形、楕円、多角形、または前記羽根車構造の軸心と非同軸の円形、または任意の密閉形状からなる横吹き式送風機。
【請求項２】
前記ハウジングは、第二特定形状を有する第二軸方向吸気口を更に含み、且つ、前記第二特定形状は、方形、楕円、多角形、または前記羽根車構造の軸心と非同軸の円形、または任意の密閉形状からなる請求項１に記載の横吹き式送風機。
【請求項３】
前記羽根車構造の羽根の外縁によって囲まれた軸方向吸気域を更に含み、且つ、前記軸方向吸気口は、前記軸方向吸気域を一部露出、または露出しない請求項１に記載の横吹き式送風機。
【請求項４】
少なくとも一つの横方向排気口、少なくとも一つの軸方向メイン吸気口、少なくとも一つの軸方向サブ吸気口を有し、前記軸方向サブ吸気口は、軸方向メイン吸気口の辺縁から外側に延伸するハウジング、および
前記ハウジングの内部に位置され、且つ、軸方向の方向で、羽根車構造とハウジングの間に風道を有する羽根車構造を含む横吹き式送風機。
【請求項５】
前記羽根車構造の羽根の外縁によって囲まれた軸方向吸気域を更に含み、且つ、前記軸方向吸気口は、前記軸方向吸気域を一部露出、または露出しない請求項２に記載の横吹き式送風機。
【請求項６】
前記風道は、前記横方向排気口の領域に近い低風圧域を有し、且つ、前記軸方向サブ吸気口は、前記低風圧域に近い請求項２に記載の横吹き式送風機。
【請求項７】
前記軸方向メイン吸気口は、円形、インボリュート、楕円、多角形、偏心円、または方形からなる請求項２に記載の横吹き式送風機。
【請求項８】
前記軸方向サブ吸気口は、規則形状、または不規則形状からなることができる請求項２に記載の横吹き式送風機。
【請求項９】
前記軸方向メイン吸気口は、突出部を有する円形からなり、前記突出部は、前記軸方向メイン吸気口から中心に向いて延伸する請求項２に記載の横吹き式送風機。
【請求項１０】
前記突出部は、前記風道領域の最も狭い部分から指定距離の部分を遮蔽する請求項７に記載の横吹き式送風機。
【請求項１１】
前記軸方向メイン吸気口の外径は、羽根車の外径より小さい請求項２に記載の横吹き式送風機。
【発明の詳細な説明】
【技術分野】
【０００１】
本発明は、横吹き式送風機に関し、特に、空気漏れを防ぎ、空圧を高める横吹き式送風機に関するものである。
【背景技術】
【０００２】
高背圧を必要とするシステムでは、従来は、送風機（ｂｌｏｗｅｒ）を用いてより高い風圧をシステムに提供してシステムにより高い背圧を持たせている。図１は、従来の送風機構造の概略図を図示している。図１を参照ください。送風機１０は、上ハウジング１２ａ、羽根車１６、下ハウジング１２ｂより構成される。上ハウジング１２ａは、軸方向吸気口１４を有し、下ハウジング１２ｂは、軸方向吸気口１１を有し、且つ、上ハウジング１２ａと下ハウジング１２ｂを接合した後、横方向排気口１３を形成する。
【０００３】
上述の従来の送風機構造では、軸方向吸気口１４、１１の形状は、円形に設計され、且つ、軸方向吸気口１４、１１は、羽根車１６と同軸である。また、上、下ハウジング１２ａ、１２ｂは、送風機１０によって形成された円形領域のみを遮蔽し、送風機１０が運転する際により大きな風量を持たせることができる。しかし、この状況では、円形の軸方向吸気口がほとんど上、下ハウジングの遮蔽を受けないことから、羽根車１６の回転速度が速くなっていくと、その中で流動している気流が吸気口から外部へ流れ易く、圧力漏れの現象（または空気漏れの現象）を生じ、それ以上風圧を上げることができない。
【発明の開示】
【発明が解決しようとする課題】
【０００４】
よって、上述の問題を解決するために、本発明は、空気漏れを大幅に低減し、作動圧力を高める横吹き式送風機を提供する。
【課題を解決するための手段】
【０００５】
よって、本発明は、ハウジングと羽根車（ｂｌａｄｅ）構造より構成された横吹き式送風機を提供する。ハウジングは、少なくとも一つの横方向排気口、特定形状を有する軸方向吸気口を有し、且つ、前記特定形状は、方形、楕円、多角形、前記羽根車構造の軸心と非同軸の円形、または任意の密閉形状、円形を除く任意の規則形状からなる。羽根車構造は、ハウジングの内部に位置され、且つ、軸方向の方向の羽根車構造とハウジングの間は、風道を有する。
【０００６】
本発明の横吹き式送風機は、前記軸方向吸気口に対応したもう一つ側の表面に、もう一つの特定形状を有する軸方向吸気口を対応して形成することもできる。また、本発明の横吹き式送風機のハウジングもまた複数の外フレームより構成することができる。
【発明の効果】
【０００７】
本発明の横吹き式送風機の構造は、吸気口の異なる大きさ、異なる形状または位置を用いて風道の中の風量を増進することから、横吹き式送風機が動作している時、横吹き式送風機の風道内で動作している流体が風道の外側に漏れないだけでなく、風量も増進することができ、作動圧力を大幅に高める。
【発明を実施するための最良の形態】
【０００８】
本発明についての目的、特徴、長所が一層明確に理解されるよう、以下に実施形態を例示し、図面を参照しながら、詳細に説明する。
【実施例】
【０００９】
本発明は、送風機の形式を例に本発明の横吹き式送風機を説明する。図２Ａは、本発明の実施例の横吹き式送風機１００の概略図を図示している。図２Ｂは、本発明の透視図である。図４Ａ、４Ｂは、本発明のもう一つの実施例を図示している。
【００１０】
２Ａ、２Ｂに示すように、横吹き式送風機１００は、ハウジング１０２と羽根車構造１０８より構成され、且つ、羽根車構造１０８とハウジング１０２の間は、風道１１８を有する。
【００１１】
ハウジング１０２は、横方向排気口１１４、軸方向吸気口１０４、１１２を有する。軸方向吸気口１０４、１１２の形状は、方形吸気口、図３Ａに示すような楕円吸気口１０６ａ、図３Ｂに示すような多角形吸気口１０６ｂ、図３Ｃに示すような、羽根車構造１０８の軸心と非同軸の円形吸気口１０６ｃ、または任意の密閉形状の吸気口、円形を除く任意の規則形状の吸気口からなる。軸方向吸気口１０４、１１２の形状は、同じ、または異なることができる。
【００１２】
ハウジング１０２の材料は、例えば、プラスチック、金属、または複合材料である。ハウジング１０２の製造方法は、例えば、射出成型法、加圧成型、切削成型などである。例えば、ハウジング１０２は、一体成型であることができ、外フレーム１０２ａ、１０２ｂの相互接合によって形成することもできる。外フレーム１０２ａ、１０２ｂの接合方法は、例えば、連結、リベット、ロック、粘着などの方式である。
【００１３】
羽根車構造１０８は、ハウジング１０２の内部に位置され、羽根車構造１０８は、複数の羽根１１６と駆動装置（図示せず）を有する。駆動装置は、羽根１１６を回転させるように用いられる。羽根１１６の外縁は軸方向吸気域１１０を囲む。また、軸方向の方向で、羽根車構造１０８とハウジング１０２の間に風道１１８を有する。風道１１８は、羽根車構造１０８とハウジング１０２の軸方向の方向上に存在する気流の通路を指している。
【００１４】
本発明では、軸方向吸気口１０４、１１２の形状と羽根車構造１０８の軸方向吸気域１１０の形状が異なることから、ハウジング１０２は、一部の軸方向吸気域１１０を遮蔽する。よって、風道１１８内で流動の気体が外部へ流れる時、ハウジング１０２の遮りを受け、外部に流れにくくなり、送風機の回転速度を更に高めることができ、より高い作動圧力を得る。ハウジング１０２の遮蔽部分が気体が流れ易い部位にある時、送風機の作動圧力はより高くなることができる。
【００１５】
また、本発明のハウジング１０２は、二つの軸方向吸気口を例に説明を行っているが、これに限定するものではなく、単一の軸方向吸気口のみ、または二つ以上の軸方向吸気口であることもできる。
【００１６】
また、図４Ａに図示された横吹き式送風機２００のように、本第一実施例のハウジング１０２は、横方向排気口２１４、軸方向メイン吸気口２０４、軸方向サブ吸気口２１５に分けることもでき、且つ、軸方向サブ吸気口２１５は、軸方向メイン吸気口２０４の辺縁から外側に延伸する。また、軸方向の方向で、羽根車構造２０８とハウジング１０２の間に風道２１８を有し、風圧の違いによって、高風圧域２２０と低風圧域２２１に分けることができる。つまり、風道２１８が特定距離に最も狭い領域を高風圧域２２０と、風道２１８が排気口に近い領域は、風圧が比較的低いことから低風圧域２２１と言いうことができる。前述の指定距離は、実際の要求に伴って決められる。軸方向サブ吸気口２１５は、低風圧域２２１の近くにある。
【００１７】
軸方向メイン吸気口２０４と軸方向サブ吸気口２１５は、もう一面の軸方向メイン吸気口と軸方向サブ吸気口に対応することができ、軸方向メイン吸気口は、軸方向吸気域１１０に全く露出しない、または一部露出する。また、前記軸方向メイン吸気口の外径は、羽根車の外径より小さい。軸方向サブ吸気口においては、軸方向吸気域１１０の露出された領域を増加することができる。即ち、軸方向サブ吸気口は、軸方向メイン吸気口が露出された軸方向吸気域１１０の面積を増加することができる。
【００１８】
上述の第二実施例の横吹き式送風機２００の構造では、軸方向サブ吸気口２１５が低風圧域２２１に位置し、且つ、軸方向メイン吸気口２０４から外側に延伸することから、送風機の吸込み風量、吹出し風量は大幅に増加する。
【００１９】
また、本発明の横吹き式送風機では、軸方向サブ吸気口２１５が軸方向メイン吸気口２０４から延伸された一部であることから、軸方向吸気口のサイズを大きくさせるため、流入風量が増す。
【００２０】
また、前記第二実施例の横吹き式送風機では、軸方向メイン吸気口２０４、２１２の形状は、円形、方形、楕円、多角形、偏心円、突出部２２２を有する密閉形状、規則形状、または不規則形状からなる。図４Ｂに図示されているように、突出部２２２は、軸方向メイン吸気口２０４の辺縁から羽根車構造２０８の中心に向いて延伸する。軸方向メイン吸気口２０４のサイズは、羽根車２１６が囲んで形成した領域よりやや小さいことから、軸方向吸気口のサイズを対応して減少し、特定風量の範囲内で作動圧力を大幅に高める。また、前記突出部２２２の形状が異なることから送風機に熱放散をさせる主要な性能を持たせる。
【００２１】
また、前記第二実施例の横吹き式送風機では、前記軸方向サブ吸気口２１５は、規則形状、または不規則形状からなることができる。
【００２２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２３】
【図１】従来の送風機の概略図を図示している。
【図２Ａ】本発明の好ましい実施例の横吹き式送風機の概略図を図示している。
【図２Ｂ】本発明の好ましい実施例の横吹き式送風機の概略図を図示している。
【図３Ａ】本発明の横吹き式送風機のハウジングの局部概略図を図示している。
【図３Ｂ】本発明の横吹き式送風機のハウジングの局部概略図を図示している。
【図３Ｃ】本発明の横吹き式送風機のハウジングの局部概略図を図示している。
【図４Ａ】本発明の横吹き式送風機のもう一つの実施例の概略図を図示している。
【図４Ｂ】本発明の横吹き式送風機のもう一つの実施例の概略図を図示している。
【符号の説明】
【００２４】
１０                  送風機
１２ａ                上ハウジング
１２ｂ                下ハウジング
１３、１１４、２１４  横方向排気口
１１、１４、１０４、１１２、１０６ａ、１０６ｂ、１０６ｃ  軸方向吸気口
１６、１０８、２０８  羽根車構造
１００、２００        横吹き式送風機
１０２                ハウジング
１０２ａ、１０２ｂ    外フレーム
１１０                軸方向吸気口域
１１６、２１６        羽根
１１８、２１８        風道
２０４                軸方向メイン吸気口
２１５                軸方向サブ吸気口
２２０                高風圧域
２２１                低風圧域
２２２                突出部
【図１】
2006207578.tif 000003
【図２Ａ】
2006207578.tif 000004
【図２Ｂ】
2006207578.tif 000005
【図３Ａ】
2006207578.tif 000006
【図３Ｂ】
2006207578.tif 000007
【図３Ｃ】
2006207578.tif 000008
【図４Ａ】
2006207578.tif 000009
【図４Ｂ】
2006207578.tif 000010